(57)【特許請求の範囲】
【請求項１】
ソールを有さないシューズ用のベースプレートであって、シューアッパーに交換可能に固定されるのに適しており、
ａ．前記シューアッパーに安定性を提供するのに適した、剛性および硬さが大きく、前記シューアッパーの内側に固定されるプレート形の本体と、
ｂ．前記ベースプレートが前記シューアッパーに固定されたときに前記シューアッパーの底面のそれぞれの開口を通って外側に突出するのに適した複数のトレッド要素と、
ｃ．少なくとも１つの開口であって、前記ベースプレートが前記シューアッパーに固定されたときに、トレッド要素が通らない少なくとも１つの前記シューアッパーの底面の開口と少なくとも部分的に重なることができる開口と
を備え；
前記トレッド要素が、前記本体と一体として形成され、少なくとも一部のトレッド要素が地面と接触することができる、
ベースプレート。
【請求項２】
前記シューアッパーのかかと領域から前記シューアッパーのつま先領域までの全体にわたって延びる、請求項１に記載のベースプレート。
【請求項３】
前記複数のトレッド要素のうちの少なくとも１つのトレッド要素が、前記シューアッパーの前記底面の開口の縁の一部分を受け入れて、そのトレッド要素を前記シューアッパーの前記底面に対して固定するアンダーカットを備える、請求項１または２に記載のベースプレート。
【請求項４】
前記アンダーカットが、前記少なくとも１つのトレッド要素の周囲溝である、請求項３に記載のベースプレート。
【請求項５】
３Ｄ印刷プロセスで製造された、請求項１から４のいずれか一項に記載のベースプレート。
【請求項６】
前記複数のトレッド要素の第１のサブセットがスタッドであり、前記複数のトレッド要素の第２のサブセットがプラグであり、
前記プラグが、前記スタッドとの比較において、前記スタッドは平坦な地面と接触することができるが、前記プラグは接触できないような高さを提供する、請求項１から５のいずれか一項に記載のベースプレート。
【請求項７】
前記プラグが、前記プラグがそこを通って突出する、前記シューアッパーの前記底面の開口を閉じるのに適している、請求項６に記載のベースプレート。
【請求項８】
前記スタッドが、前記スタッドがそこを通って突出する、前記シューアッパーの前記底面の開口を閉じるのに適している、請求項６または７に記載のベースプレート。
【請求項９】
それぞれのトレッド要素が、前記シューアッパーの前記底面の開口に、前記トレッド要素と前記開口との間に１対１の対応があるように対応する、請求項１から８のいずれか一項に記載のベースプレート。
【請求項１０】
少なくとも１つのスタッドが、前記スタッドのアンダーカットの下に前記シューアッパーの底面をロックすることを助けるスタッドキーの対応するラグと相互作用するのに適した、垂直方向に延びる少なくとも１つの溝を備える、請求項６から９のいずれか一項に記載のベースプレート。
【請求項１１】
前記ベースプレートを前記シューアッパーに固定する装着手段をさらに備える、請求項１から１０のいずれか一項に記載のベースプレート。
【請求項１２】
前記装着手段が、少なくとも１つのねじまたは面ファスナーである、請求項１１に記載のベースプレート。
【請求項１３】
ポリアミド、ポリエーテルブロックアミドＰＥＢＡまたは熱可塑性ポリウレタンＴＰＵ製である、請求項１から１２のいずれか一項に記載のベースプレート。
【請求項１４】
少なくとも１つの空洞を備える、請求項１から１３のいずれか一項に記載のベースプレート。
【請求項１５】
シューズ用のシューアッパーであって、請求項１から１４のいずれか一項に記載のベースプレートを受け入れるのに適しており、
領域を有する底面
を備え、
前記領域がそれぞれ、少なくとも１つの開口を備え、
前記領域がそれぞれ、前記底面の他の領域よりも弾性が大きい、
シューアッパー。
【請求項１６】
前記シューアッパーの前記底面の前記開口がそれぞれ、前記交換可能なベースプレートがシューアッパーに内側から挿入されたときにそれぞれの前記開口を通って突出するそれぞれの前記トレッド要素よりも小さな直径を備える、請求項１５に記載のシューアッパー。
【請求項１７】
それぞれの領域が１つの開口を備え、前記トレッド要素と前記領域との間に１対１の対応がある、請求項１５または１６に記載のシューアッパー。
【請求項１８】
ａ．請求項１５から１７のいずれか一項に記載のシューアッパーと、
ｂ．請求項１から１４のいずれか一項に記載のベースプレートと、
を備えるシューズ。
【請求項１９】
シューズ用のベースプレートのセットであって、
ａ．それぞれのベースプレートが、請求項１から１４のいずれか一項に従って形成されており、
ｂ．ベースプレートの前記セットの中のそれぞれのベースプレートが、少なくとも前記トレッド要素の配置および設計に関して、ベースプレートの前記セットの中の他のどのベースプレートとも異なっている、
ベースプレートのセット。
【請求項２０】
請求項１から１４のいずれか一項に記載のベースプレートの製造方法であって、
前記複数のトレッド要素を、前記本体とともに一体として形成し、前記トレッド要素が、前記完成したベースプレートが前記シューアッパーに内側から挿入されたとき、前記シューアッパーの前記底面の前記それぞれの開口を通って突出するのに適したものになるステップ、
を含む方法。
【請求項２１】
前記ベースプレートが３Ｄ印刷プロセスで製造される、請求項２０に記載の方法。
【請求項２２】
前記ベースプレートが射出成形プロセスで製造される、請求項２０に記載の方法。
【請求項２３】
前記シューアッパーの前記底面の開口の縁の一部分を受け入れるアンダーカットを作り出すために、前記ベースプレートと前記複数のトレッド要素のうちの少なくとも１つのトレッド要素との間に挿入された少なくとも１つのスペーシング要素を、前記プロセス中に取り外すことが可能である、請求項２０に記載の方法。
【請求項２４】
最初に、前記複数のトレッド要素が製作され、その後に、前記少なくとも１つのスペーシング要素を使用して、前記複数のトレッド要素に前記ベースプレートが射出成形される、請求項２０に記載の方法
【発明の詳細な説明】
【技術分野】
【０００１】
本発明は、シューズ、特にスポーツシューズ用のベースプレート（baseplate）、ベースプレートを受け入れるのに適したシューアッパー（shoe upper）、ベースプレートとシューアッパーとを備えるシューズ、およびベースプレートの製造方法に関する。
【背景技術】
【０００２】
シューズ、特にスポーツシューズは一般に、シューアッパーと、シューアッパーに取り付けられたソールとを備える。ソールは、そのシューズを履いた人の足を支え、足から地面へ力を伝え、シューズの用途に応じたある量の減衰を提供する。地面との摩擦を増大させ、シューズの不要なすべりを防ぐため、ソールは一般に、その外面にトレッド（tread）を備える。すべりの防止は特にスポーツシューズに関連する。
【０００３】
したがって、スポーツシューズはしばしば、それぞれのスポーツに適合した特別なトレッドを備える。例えば、フットボールブーツ（football boot）およびラグビーブーツはしばしば、比較的軟らかい地面（例えば草地）とかみ合うスタッド（stud）を備え、したがって程度の大きなトラクション（traction）を可能にする。短距離競走用のシューズでは、ランニングトラックの地面に貫入し走者のすべりを防ぐトレッド要素としてスパイクが使用される。同様に、ゴルフシューズは、シューズのトラクション、特に草の上でのトラクションを、その設計によりかなり増大させる、いわゆる「スパイク」を備える。
【０００４】
ＵＳ７，７３０，６３７Ｂ２は、上面および底面を有するシューアッパーと、シューアッパーの内側にリリース可能に配置されたシャシ（chassis）と、複数のスタッドとを備えるモジュール式のシューズを記載している。それぞれのスタッドは、シューアッパーの底面を通してシャシにリリース可能に取り付けられる。シューアッパーの底面は、シャシと取り付けられた少なくとも１つのスタッドとの間に締着される。
【０００５】
ＦＲ２  ８１３  ７６６は、高くされた部分をその下に有するソールとヒールとを備えるシューズを記載している。シューアッパーは、その底面に、それらの高くされた部分がはまる開口を備える。
【０００６】
ＵＳ９９７，６５７は、複数の開口をそのトレッド部分に備える堅い（solid）アウターソールを有するスポーツシューズまたは室内履き（slipper）を記載している。このアウターソールには、リリースおよび取替えが可能なトレッド要素が着装されている。このトレッド要素は、アウターソールのトレッド部分の内側を覆うように配置された部分を有し、この部分は、開口にはまり、それらの開口を通ってアウターソールの外側まで突出するパッドを備える。
【０００７】
ＵＳ８，８１３，３８７Ｂ２は、シューアッパーとソール構造体とを含むフットウェア物品を記載している。このシューアッパーは、ソール構造体と足とを受け入れるように配置された内部空洞を画定する。シューアッパーの下面が複数の開口を画定し、ソール構造体は複数の突起を含む。それらの突起は、シューアッパーの開口を通って突出して、地面と接触する表面を形成する。
【０００８】
ＷＯ９７／４６１２７は、シューズの製造方法を記載している。この方法は、シューアッパーを形成することを含み、そのシューアッパーは、その底面の複数の開口と、足形の内部空洞とを含む。次に、この内部空洞にシューズのアウターソールを挿入して、アウターソールの部分がシューアッパーの開口から突出し、シューズの外側接触面を形成するようにする。アウターソールは、接着および／または縫合によってシューアッパーに接続される。
【０００９】
知られているシューズ、特にスポーツシューズの欠点は、それらのシューズが、地面に合わせて適合させることができるトレッドを持たないことである。さらに、従来のシューズ、特にスポーツシューズの重量は、重量低減の努力にもかかわらず、依然として比較的大きい。同時に、重量に関して最適化されたシューズではしばしば、そのシューズを履いた人の足が十分には支えられない。
【先行技術文献】
【特許文献】
【００１０】
【特許文献１】ＵＳ７，７３０，６３７Ｂ２
【特許文献２】ＦＲ２  ８１３  ７６６
【特許文献３】ＵＳ９９７，６５７
【特許文献４】ＵＳ８，８１３，３８７Ｂ２
【特許文献５】ＷＯ９７／４６１２７
【発明の概要】
【発明が解決しようとする課題】
【００１１】
本発明は、知られているシューズ、特にスポーツシューズの上述の欠点を解決するという課題に関する。
【課題を解決するための手段】
【００１２】
この課題は、請求項１に記載のシューズ用ベースプレート、請求項１４に記載のシューアッパー、請求項１６に記載のシューズ、および請求項１８に記載のシューズ製造方法によって解決される。
【００１３】
本発明によれば、シューズ、特にスポーツシューズ用のベースプレートであって、シューアッパーに交換可能に挿入されるのに適しており、（ａ．）シューアッパーに安定性を提供するのに適した、剛性（stiff）および硬さ（rigid）が大きいプレート形の本体と、（ｂ．）ベースプレートがシューアッパーに挿入されたときシューアッパーの底面のそれぞれの開口を通って突出するのに適した複数のトレッド要素と、を備え、（ｃ．）トレッド要素が、本体とともに一体として形成された、ベースプレートが提供される。
【００１４】
このベースプレートはシューアッパーに交換可能に挿入されるため、別のベースプレート、例えば地面の状態に応じた別のベースプレートを、シューアッパーに挿入することができる。フットボールブーツでは、例えばグラスフィールド（grass field）上で使用するために、比較的少数の、しかしその代わりにスタッドの形状の長いトレッド要素を有するベースプレートを挿入することができる。しかしながら、シンダーフィールド（cinder field）上では、比較的多数の、しかしその代わりにより短いトレッド要素を有するベースプレートを使用することができる。したがって、本発明の例示的な実施形態では、このベースプレートが、フットボールブーツのシューアッパーに挿入されるのに適している。
【００１５】
さらに、そのシューズを履く人の要求に応じて、トレッド要素の配置および状態を適合させることもできる。このようにすると、シューズのトレッド構造に関して、そのシューズを容易に個人に適合させることができ、常に同じシューアッパーを使用することができる。
【００１６】
さらに、本発明に基づくベースプレートは、比較的軽量のシューズでありながら、履く人の足を十分に支えるシューズを提供することを可能にする。本発明に基づくベースプレートを備えるシューズは、基本的に、シューアッパーおよびベースプレートだけを備える。その剛性（stiffness）および堅さ（solidness）によって、ベースプレートが、必要な安定性をシューズに提供し履く人の足を十分に支えるときには、追加の構成要素を省くことができ、それによってシューズは特に軽量となる。例として、このベースプレートは、少なくとも１０００Ｎ／ｍｍ２、より好ましくは少なくとも１２００Ｎ／ｍｍ２の曲げ弾性率（flexural modulus of elasticity）を備える。さらに、このベースプレートは、好ましくは少なくとも１０００Ｎ／ｍｍ２、より好ましくは少なくとも１７００Ｎ／ｍｍ２のドラグ弾性率（drag modulus of elasticity）を備える。このベースプレートの引張強さは、少なくとも４０Ｎ／ｍｍ２、好ましくは少なくとも４５Ｎ／ｍｍ２である。このベースプレートのシャルピー衝撃強さは、少なくとも４０ｋＪ／ｍｍ２、好ましくは少なくとも５３ｋＪ／ｍｍ２である。
【００１７】
このベースプレートは、シューアッパーのかかと領域からシューアッパーのつま先領域までの全体にわたって延びることができる。これによって、履く人の足は持続的に支えられる。追加の構成要素、例えばアウターソールまたはミッドソールのことを考えに入れないことができる。
【００１８】
前記複数のトレッド要素のうちの少なくとも１つのトレッド要素は、シューアッパーの底面の開口の縁の一部分を受け入れて、そのトレッド要素をシューアッパーの底面に対して固定するアンダーカット（undercut）を備えることができる。この方策によって、１つまたは複数のトレッド要素に沿ってシューアッパーの底面が偶発的にすべることを防ぐことができる。さらに、シューアッパー内でのベースプレートのすべりが防止され、または少なくとも低減する。
【００１９】
このアンダーカットは、前記少なくとも１つのトレッド要素の周囲溝（circumferential groove）とすることができる。周囲溝は、それぞれのトレッド要素の全ての側部にシューアッパーの底面を固定することを可能にする。
【００２０】
このベースプレートは、３Ｄ印刷プロセスで製造することができる。本発明に関して、３Ｄ印刷は、そのシューズを履く個人に対して適合したベースプレートを、容易に、かつ高い費用効率で製造することができるという利点を有する。例えば、そのシューズを履く人は、そのトレッド構造、すなわちトレッド要素の配置およびサイズを、１人で設計することができる。３Ｄ印刷の他の利点は、印刷中に前述のアンダーカットを作り出すことができることである。例えばミリング（milling）などの追加の製作ステップは不要である。
【００２１】
トレッド要素の配置、それぞれの高さおよびそれぞれの周囲を、シューズが使用される地面に適合させることができる。したがって、シューズは、それぞれの地面上で可能な最良のトラクションを有する。
【００２２】
前記複数のトレッド要素の第１のサブセットをスタッドとすることができ、前記複数のトレッド要素の第２のサブセットをプラグ（plug）とすることができる。それらのプラグは、スタッドとの比較において、スタッドは平坦な地面と接触することができるが、プラグはできないような高さを備える。プラグは、シューアッパーの内部へ底面から水や土が侵入することを防ぎ、スタッドは、必要なトラクションを提供する。シューアッパーの底面のそれぞれの開口の中に、スタッドまたはプラグを置くことができる。
【００２３】
これらのプラグを、プラグがそこを通って突出する、シューアッパーの底面の開口を閉じるのに適したものにすることができる。このようにすると、最良には、水や土の侵入が防止される。別のベースプレートが挿入されたときは例えば、スタッドが、以前にはプラグによって閉じられた開口と同じ開口を通って突出することができる。
【００２４】
スタッドも、スタッドがそこを通って突出する、シューアッパーの底面の開口を閉じるのに適したものにすることができる。このようにすると、水や土の侵入が防止される。
【００２５】
一般に、本発明によれば、それぞれのトレッド要素は、シューアッパーの底面のある開口に、トレッド要素と開口との間に１対１の対応があるように対応することができる。
【００２６】
少なくとも１つのスタッドは、スタッドキー（stud key）の対応するラグ（lug）と相互作用するのに適した、垂直方向に延びる少なくとも１つの溝を備えることができる。このようなスタッドキーを使用して、シューアッパーの底面をアンダーカット内に締着することができる。これについては後により詳細に説明する。スタッドキーは、前記溝と相互作用する少なくとも１つのラグを備えることができる。したがって、この溝は、スタッドキーの案内手段の機能を提供することができる。
【００２７】
このベースプレートは、ベースプレートをシューアッパーに固定する装着手段をさらに備えることができる。それによって、シューアッパー内でのベースプレートのすべりが低減または防止される。
【００２８】
この装着手段を、少なくとも１つのねじまたはフックアンドループテープ（hook-and-loop tape）とすることができる。これらのタイプの装着手段は取扱いが容易であり、ベースプレートを確実に固定する。
【００２９】
ベースプレートおよび／またはシューアッパーに、すべり防止織物を、少なくとも部分的に着装することができる。その結果、ベースプレートとシューアッパーの間の相対運動をさらに防ぐことができる。このすべり防止織物は、ベースプレートおよび／またはシューアッパーの底面の足前部領域（forefoot region）に配置することができる。他の例では、別のすべり抵抗要素、例えばゴム要素を提供することができる。
【００３０】
このベースプレートは、ポリアミド、ポリエーテルブロックアミド（polyether-block-amide：ＰＥＢＡ）または熱可塑性ポリウレタン（thermoplastic polyurethane：ＴＰＵ）製とすることができる。これらの材料は、容易に入手可能であり、非常に耐久性の高いベースプレートの製造を可能にする。このベースプレートは特に、粉末状のポリアミド１２から作ることができる。ポリアミド１２でできた要素は、高い機械的または熱的なひずみを阻止する。さらに、ポリアミド１２でできた要素は、上述の材料特性、例えばドラグ弾性率、引張強さまたは曲げ弾性率に関する材料特性を提供する。
【００３１】
このベースプレートは、少なくとも１つの開口および／または空洞を備えることができる。この開口および／または空洞は一般に、シューアッパーの底面の開口と重なり、またはそのような開口を覆う。重なった部分では、シューアッパーの外側から内側へおよびシューアッパーの内側から外側へ空気が流れて、足を換気することができる。
【００３２】
このベースプレートはさらに、材料の厚さが変動する領域を備えることができる。そのため、第２の領域よりも薄い第１の領域が存在しうる。このようなより薄い領域は、これらの領域における曲げ強さまたは剛性を低減させるのに役立ちうる。
【００３３】
本発明の他の態様は、シューズ、特にスポーツシューズ用のシューアッパーであって、前に記載したベースプレートを受け入れるのに適しており、領域を有する底面を備え、それらの領域がそれぞれ、少なくとも１つの開口を備え、それらの領域がそれぞれ、底面の他の領域よりも弾性が大きい、シューアッパーに関する。
【００３４】
開口の周囲の前記領域はシューアッパーの前記他の領域よりも弾性が大きいため、シューアッパーの底面は、開口を通って突出するトレッド要素によって特によく閉じることができる。このようにすると、一方では、水や土の侵入を防ぐことができ、他方では、シューアッパーに対してベースプレートが特によく固定される。
【００３５】
例えば、シューアッパーの底面の多層構造によって、弾性が変動する領域を実現することができる。そのため、底面は、合成ポリウレタン、織物または編物でできたベース層を備えることができる。このベース層上に最上位層を、例えばＨＦ接着または熱圧縮成形によって配置することができる。ベース層は開口を備える。開口の周囲の領域においてこの最上位層が省かれるときは、弾性が変動する領域を特に容易に作り出すことができる。それによって、ベース層は最上位層よりも大きな弾性を有する。底面の耐摩耗性を増大させるため、最上位層は例えばＴＰＵ箔を備えることができる。４層以上の層を互いの上に配置して、底面を作り出すことも可能である。
【００３６】
シューアッパーの底面の開口はそれぞれ、交換可能なベースプレートがシューアッパーに挿入されたときにそれぞれの開口を通って突出するそれぞれのトレッド要素よりも小さな直径を備えることができる。これによって弾性が大きい領域が引き伸ばされ、トレッド開口に対して特にきつく接し、それにより閉鎖効果がよりいっそう強化される。
【００３７】
これらの弾性が大きな領域は、それらの領域間に弾性がより小さい領域があるように配置することができる。これらの弾性がより小さい領域は、そのシューズが履かれたときに、シューアッパーの底面が全体的に過剰には引き伸ばされないことを可能にする。
【００３８】
それぞれの領域は、トレッド要素と領域との間に１対１の対応があるように、１つの開口を備えることができる。
【００３９】
底面に加えて、シューアッパーは、シューズを履いた人の足を囲う上面を備える。底面および上面は互いに独立に製造し、その後に互いに恒久的に接続することができる。このような接続は例えば、縫製技法またはピンチングによって達成することができる。シューアッパーは基本的に、底面および上面を構成する２つの部品から形成することができる。底面および上面は、同じ材料から一体として形成することもできる。
【００４０】
本発明の他の態様は、前に記載したシューアッパーと、前に記載したベースプレートとを備えるシューズ、特にスポーツシューズに関する。既に説明したとおり、本発明に基づくシューズでは、別のベースプレート、例えば地面の状態に応じた別のベースプレートを、シューアッパーに挿入することができる。さらに、本発明によれば、比較的軽量のシューズでありながら、履く人の足を十分に支えるシューズを提供することができる。
【００４１】
本発明の他の態様は、シューズ、特にスポーツシューズ用のベースプレートのセットであって、それぞれのベースプレートが、前に記載したとおりに形成されており、このベースプレートのセットの中のそれぞれのベースプレートが、少なくともトレッド要素の配置および設計に関して、このベースプレートのセットの中の他のどのベースプレートとも異なっている、ベースプレートのセットに関する。
【００４２】
したがって、それらのベースプレートのうちの１つのベースプレートがシューアッパーに挿入されたシューズを履く人は、個人的な好みまたは地面の状態に応じて、適当なベースプレートを選択し、そのベースプレートをシューアッパーに挿入することができる。
例えば、フットボールブーツ用のベースプレートのセットでは、一度に１つのベースプレートが、グラスフィールド、シンダーフィールドまたは体育館などに対して特に適していることがある。
【００４３】
本発明に基づくベースプレート、本発明に基づくシューアッパーおよび本発明に基づくシューズの流通チャネルおよびビジネスモデルはそれぞれ、これらの個々の構成要素を別々に販売することを含むことができる。それによって、スポーツをする人に対してシューアッパーを直接に適合させることができ、そのシューアッパーをその人に直接に販売することができる。さらに、複数のベースプレートを別々に提供し、それらを別々に販売することもできる。ベースプレートは別々にまたはセットで販売することができる。これらのベースプレートは特に、トレッド要素の数およびタイプ、材料、材料定数（material constant）、ならびに色またはグラフィックデザインに関する構成、に関して異なるベースプレートとすることができる。シューアッパーを既に別個に購入した顧客は、個人的欲求に従って、１つまたは複数ベースプレートを購入することができる。シューアッパーを、１つのベースプレートと一緒にまたはベースプレートのセットと一緒に流通させることも可能である。
【００４４】
これらのベースプレートは、スポーツをする人自身が３Ｄプリンタによって自宅で印刷し、またはオンラインで注文し、または店舗で購入することができる。店舗において、顧客またはスポーツする人の希望に従ってベースプレートをすぐに作り出すこと、特に３Ｄ印刷によって作り出すことも可能である。ベースプレートは、プレーンな色でまたは多数の色で着色された状態で供給することができ、また、店舗においてまたは最終使用者が、例えばコーティング、フロック加工、ラミネート加工、スプリンクリング（sprinkling）、接着および／または印刷によって、ベースプレートにデザイン要素を提供することもできる。
【００４５】
本発明の他の態様は、前に記載したベースプレートの製造方法であって、（ａ．）ベースプレートのプレート形の本体を形成するステップと、（ｂ．）前記複数のトレッド要素を、本体とともに一体として形成し、トレッド要素が、完成したベースプレートがシューアッパーに挿入されたときに、シューアッパーの底面のそれぞれの開口を通って突出するのに適したものになるステップとを含む方法に関する。
【００４６】
このベースプレートは、３Ｄ印刷プロセスで製造することができる。
【００４７】
このベースプレートは、射出成形プロセスで製造することもできる。このような射出成形プロセスでは、アンダーカットを作り出すために、トレッド要素とベースプレートとの間に、環状円板の形状のスペーシング要素が挿入される。これに関して、最初に、トレッド要素、好ましくはＴＰＵのトレッド要素を製作する。その後に、それらのトレッド要素に環状円板を装着する。これに関して、環状円板は、射出成形するベースプレートに隣接して位置するトレッド要素の領域に装着する。環状円板を装着するのには、例えば、トレッド要素のペン先（pen）のような突起が適している。その後に、ベースプレート、好ましくはＰＡでできたベースプレートを、トレッド要素に射出成形する。トレッド要素とベースプレートとの間に環状円板を配置することによって、アンダーカットが作り出される。ベースプレートの射出成形の後、環状円板を再び取り外すことができる。原理上は、最初にベースプレートを製作し、その後に、環状円板を使用して、そのベースプレートにトレッド要素を射出成形することも可能である。
【００４８】
環状円板は、ベースプレートまたはトレッド要素の材料に接着しにくい材料でできていることが好ましい。このような材料は例えばテフロン（Teflon）（登録商標）である。
【００４９】
以下では、添付図を参照することにより、本発明の諸態様をより詳細に説明する。
【図面の簡単な説明】
【００５０】
【図１】本発明に基づくベースプレートの例示的な実施形態を示す図である。
【図２】本発明の範囲に含まれるトレッド要素上のアンダーカットを作り出すための例示的な実施形態を示す図である。
【図３】本発明の範囲に含まれるスタッドの断面を示す図である。
【図４】本発明に基づくシューアッパーの例示的な実施形態を示す図である。
【図５】本発明に基づくシューズの例示的な実施形態を示す図である。
【図６Ａ】本発明に基づくシューズの例示的な他の実施形態の側面図である。
【図６Ｂ】下方から見た図６Ａのシューズを示す図である。
【図７】本発明に基づくベースプレートのセットを示す図である。
【図８】本発明に基づくシューズの例示的な実施形態を示す図である。
【図９】本発明に基づくベースプレートの例示的な他の実施形態を示す図である。
【図１０】スタッドキーを示す図である。
【図１１】シューアッパーの底面を通して突出したスタッドを示す図である。
【図１２】スタッドキーの例示的な代替実施形態を示す図である。
【図１３】スタッドキーの例示的な他の代替実施形態を示す図である。
【図１４Ａ−１４Ｄ】本発明の文脈におけるスタッドキーの使用を示す図である。
【発明を実施するための形態】
【００５１】
図１は、シューズ、特にスポーツシューズ用の本発明に基づくベースプレート１１の例示的な実施形態を示す。ベースプレート１１は、シューアッパーに安定性を提供するのに適した、剛性および硬さが大きいプレート形の本体１２を備える。プレート形の形状のため、ベースプレート１１をシューアッパーに交換可能に挿入することができる。ベースプレート１１の本体１２は剛性および硬さが大きく、シューズに必要な安定性をシューアッパーに提供することができる。
【００５２】
ベースプレート１１は、例えばポリアミド、ポリエーテルブロックアミド（ＰＥＢＡ）、熱可塑性ポリウレタン（ＴＰＵ）などのプラスチック材料製とすることができる。ベースプレート１１は例えば、例えば射出成形によってまたは３Ｄプリンタによって製造することができる。
【００５３】
図１の例示的な実施形態に示されているように、ベースプレート１１は複数のトレッド要素を備え、そのうちの８つのトレッド要素がそれぞれ、参照符号１３、１３ａおよび１３ｂによって示されている。トレッド要素１３、１３ａおよび１３ｂは、ベースプレート１１がシューアッパーに挿入されたときにシューアッパーの底面のそれぞれの開口を通って突出するのに適している。図１の例示的な実施形態では、トレッド要素１３、１３ａおよび１３ｂが円形の断面を備える。トレッド要素１３、１３ａおよび１３ｂは一般に、例えば三角形、四角形、長円形、楕円形など、さまざまな断面形状を備えることができる。
【００５４】
トレッド要素１３、１３ａおよび１３ｂは、本体１２とともに一体として形成されている。トレッド要素１３、１３ａおよび１３ｂは例えば、射出成形によって本体１２とともに一体として形成することができる。３Ｄプリンタを使用してベースプレート１１を製造するときには、プリンタ内でベースプレート１１を一層ずつ形成することによって、トレッド要素１３、１３ａおよび１３ｂが、本体１２とともに一体として形成される。
【００５５】
図１の例示的な実施形態では、ベースプレート１１が、２つの異なるタイプのトレッド要素を備える。それらの複数のトレッド要素の第１のサブセットはスタッドであり、そのうちの２つのスタッドが参照符号１３ａで示されている。複数のトレッド要素の第２のサブセットはプラグであり、そのうちの２つのプラグが参照符号１３ｂで示されている。一般に、本発明によれば、スタッド１３ａおよびプラグ１３ｂはそれぞれ、後により詳細に説明するシューアッパーの底面のある開口に対応することができる。
【００５６】
図１の例示的な実施形態では、スタッド１３ａが円錐台形である。例えば円錐形、角錐形、半球形、リブ（rib）形など、他の形状も可能である。図１の例示的な実施形態では、プラグ１３ｂが、平坦にされた形状を備える。プラグの場合も一般に、さまざまな形状が可能である。プラグ１３ｂは一般に、スタッド１３ａとの比較において、スタッド１３ａは平坦な地面と接触することができるが、プラグ１３ｂはできないような高さを備える。したがって、プラグ１３ｂは、プラグ１３ｂがそこを通って突出する、シューアッパーの開口を閉じるのに適している。スタッド１３ａは特に、ある程度まで地面に貫入することによって、軟らかい地面上で必要なトラクションを提供する機能を有する。スタッド１３ａも、スタッド１３ａがそこを通って突出する、シューアッパーの開口を閉じるのに適したものにすることができることに留意すべきである。
【００５７】
一般に、トレッド要素１３、１３ａおよび１３ｂの配置、それぞれの高さおよびそれぞれの周囲を、シューアッパーにベースプレート１１が挿入されたシューズが使用される地面に適合させることができる。例えば、フットボールブーツでは、グラスフィールド上でフットボールブーツが使用されるときに、少数の、しかしその代わりに比較的長いスタッドを有するベースプレートを挿入することができる。シンダーフィールド上でフットボールブーツを使用する際には、多数の、しかしその代わりにより短いスタッドを有するベースプレートを挿入することができる。
【００５８】
複数のトレッド要素１３、１３ａおよび１３ｂのうちの少なくとも１つのスレッド要素は、シューアッパーの底面の開口の縁の一部分を受け入れて、そのトレッド要素をシューアッパーの底面に対して固定するアンダーカットを備えることができる。このことは、図１の例示的な実施形態のトレッド要素についても当てはまり、図１には、そのような２つのアンダーカットが参照符号１４で示されている。図１の例示的な実施形態のアンダーカットは、それぞれのトレッド要素１３、１３ａおよび１３ｂの周囲溝である。図２の例のアンダーカット１４は、図１に示されたアンダーカット１４のように形成することができる。
【００５９】
ベースプレート１１が例えば射出成形によって製造される場合、アンダーカット１４は例えば、それぞれのトレッド要素内にミリングすることができる。
【００６０】
アンダーカット１４は、図２に示されているように、多段階射出成形で作り出すこともでき、この成形では、アンダーカット１４を作り出すために、トレッド要素１３、１３ａおよび１３ｂとベースプレート１１との間に、環状円板２１の形状のスペーシング要素が挿入される。これに関して、最初に、トレッド要素１３、１３ａおよび１３ｂを製作する。続いて、トレッド要素１３、１３ａおよび１３ｂのペン先のような突起２２に環状円板２１を装着する。その後に、トレッド要素１３、１３ａおよび１３ｂにベースプレート１１を射出成形する。トレッド要素１３、１３ａおよび１３ｂとベースプレート１１との間に環状円板２１が配置されているため、アンダーカット１４が作り出される。ベースプレート１１の射出成形の後、環状円板２１を再び取り外すことができる。一般に、最初にベースプレート１１を製造し、その後に、環状円板２１を使用して、そのベースプレートにトレッド要素１３、１３ａおよび１３ｂを射出成形することも可能である。環状円板２１は、ベースプレート１１の材料またはトレッド要素１３、１３ａおよび１３ｂの材料に接着しにくい材料でできていることが好ましい。このような材料は例えばテフロン（登録商標）である。
【００６１】
３Ｄプリンタでのベースプレート１１の製造は特に有利である。これは、そのときには、印刷プロセス中にアンダーカット１４を作り出すことができ、追加の製作ステップ（例えばミリング）が必要ないためである。
【００６２】
図３は、アンダーカット１４を有するスタッド１３ａの断面を示す。プラグ１３ｂも、図３に示されたスタッド１３ａと同様のアンダーカット１４を備えることができることに留意すべきである。
【００６３】
図４は、シューズ、特にスポーツシューズ用の本発明に基づくシューアッパー３１の例示的な実施形態を示す。シューアッパー３１は、複数の領域を有する底面３２を備え、そのうちの３つの領域が、参照符号３３で例示的に示されている。領域３３はそれぞれ開口を備え、図１には、そのうちの３つの開口が、参照符号３４で例示的に示されている。領域３３はそれぞれ、底面３２の他の領域よりも弾性が大きい。図４の例示的な実施形態には、このような３つの他の領域が、参照符号３５で例示的に示されている。一般に、本発明によれば、シューアッパー３１の底面３２の開口３４の周囲の領域は、開口３４間の領域３５よりも弾性が大きい。
【００６４】
領域３３を接続すること、または領域３３を互いから分離することができる。領域３３が互いから分離される場合、弾性が大きい２つの領域３３間には、弾性がより小さい少なくとも１つの他の領域３５がある。ある実施形態では、領域３３がそれぞれ、ある１つのスタッド１３ａまたはプラグ１３ｂに割り当てられる。すなわち、領域３３はそれぞれ、正確に１つのスタッド１３ａまたはプラグ１３ｂを含む。
【００６５】
図１を参照して前に説明したとおり、シューアッパー３１は、ベースプレート１１を受け入れるのに適している。シューアッパー３１の底面３３は、開口３４の周囲でより弾性が大きいため、それぞれの開口３４の縁は、それぞれの開口３４を通って突出したそれぞれのトレッド要素１３、１３ａおよび１３ｂに対してしっかりと当接する。シューアッパー３１の底面３２が、トレッド要素１３、１３ａおよび１３ｂによって特によく閉じるように、シューアッパー３１の底面３２の開口３４はそれぞれ、交換可能なベースプレート１１がシューアッパー３１に挿入されたときにそれぞれの開口３４を通って突出するそれぞれのトレッド要素１３、１３ａおよび１３ｂよりも小さな直径を備えることができる。
【００６６】
図５は、特にスポーツシューズである、本発明に基づくシューズ４１の例示的な実施形態を示す。シューズ４１は、図４に関して説明したシューアッパー３１と、図１に関して説明したベースプレート１１とを備える。ベースプレート１１は、トレッド要素が開口３４を通って突出するようにシューアッパー３１に挿入され、図５には、それらのトレッド要素のうちの２つのトレッド要素が参照符号１３で示されている。図５の例示的な実施形態では、ベースプレート１１が、シューアッパーのかかと領域３４２からシューアッパー３１のつま先領域４４３までの全体にわたって延びている。
【００６７】
ベースプレート１１をシューアッパー３１に固定するため、ベースプレート１１は、装着手段（図示せず）を備えることができる。この装着手段は例えば、ねじ、織物材料、ゴム材料またはフックアンドループテープとすることができる。ねじを使用するときには、それぞれのねじ山を、シューアッパー３１の底面３２内に配置することができ、底面３２にねじをねじ込んで、ねじ頭とシューアッパー３１の底面３２との間にベースプレート１１を固定する。あるいは、ベースプレート１１内にねじ山を配置することもでき、シューアッパー３１の底面３２の開口内に切られたねじ山にねじをねじ込んで、ねじ頭とベースプレート１１の間にシューアッパー３１の底面３２を固定する。フックアンドループテープを装着手段として使用するときには、ベースプレート１１が、その底面にフックアンドループテープを備えることができ、対応するもう片方のテープを、シューアッパー３１の底面３２のシューアッパー３１の内側に置くことができる。
【００６８】
図６Ａおよび６Ｂは、本発明に基づくシューズ４１の例示的な他の実施形態を示す。これに関して、図６Ａは、側方から見たシューズ４１を示し、図６Ｂは、下方から見たシューズ４１を示す。図６Ａでは、プラグ１３ｂの高さとの比較において、スタッド１３ａの高さが異なることがはっきりと分かる。スタッド１３ａは地面に接するが、プラグ１３ｂは接しない。図６Ａおよび６Ｂの例示的な実施形態では、シューアッパー３１が紐５１を備える。しかしながら、例えばフックアンドループファスナ（hook-and-loop fastner）、ジッパ（zipper）など、他の固定手段も可能である。
【００６９】
図７は、シューズ、特にスポーツシューズ用の例示的なベースプレート１１ａ、１１ｂ、１１ｃおよび１１ｄのセット６１を示す。示されたベースプレート１１ａ、１１ｂ、１１ｃおよび１１ｄはそれぞれ、前に説明したとおりに形成される。ベースプレートのセット６１中のベースプレート１１ａ、１１ｂ、１１ｃおよび１１ｄはそれぞれ、少なくともトレッド要素１３、１３ａおよび１３ｂの配置および設計に関して、ベースプレートのセット６１の中の他のどのベースプレート１１ａ、１１ｂ、１１ｃおよび１１ｄとも異なっている。これにより、ベースプレート１１ａは、常に平坦なプレート形のトレッド要素１３ｃを有する。このようなベースプレート１１ａが例えば、フットボールブーツ用の適当なシューアッパー３１に挿入された場合、それぞれのフットボールブーツは、硬い地面、例えばシンダーフィールドに対して特によく適するであろう。さらに、プラグの形をした平坦なプレート形のトレッド要素１３ｃだけを備えるベースプレート１１ａを有するこのようなシューズは、ウォーキングシューズとして使用することもできる。したがって、１つのシューアッパーを、例えば第１のベースプレートと組み合わせてフットボールブーツとして使用し、第２のベースプレートと組み合わせてウォーキングシューズとして使用することが可能である。
【００７０】
ベースプレート１１ｂが、フットボールブーツ用の適当なシューアッパー３１に挿入された場合、それぞれのフットボールブーツは、例えばグラスフィールドなどの軟らかい地面に対して特によく適するであろう。ベースプレート１１ｃは、３つの異なるタイプのトレッド要素、すなわち長いスタッド１３ａ、プラグ１３ｂおよび短いスタッド１３ｄを備える。この例示的な実施形態において、ベースプレート１１ｃは、中程度に硬い地面から硬い地面までの地面上で使用されるフットボールブーツに対して適するであろう。ベースプレート１１ｄは、２つの異なるタイプのトレッド要素１３、すなわち長いスタッド１３ａおよび短いスタッド１３ｄを備える。この例示的な実施形態において、ベースプレート１１ｄは、中程度に硬い地面から軟らかい地面までの地面上で使用されるフットボールブーツに対して適するであろう。
【００７１】
本発明によれば、本発明に基づくシューズ４１を履く人はこれにより、シューズ４１を履く地面の状態に応じて、ベースプレート１１を取り替えることができる。摩耗によってトレッド要素１３がある程度まで摩り減ったときに、ベースプレート１１を取り替えることも可能である。
【００７２】
図８は、本発明に基づくシューズの例示的な実施形態４１ａ、４１ｂ、４１ｃおよび４１ｄを示す。シューズ４１ａ、４１ｂ、４１ｃおよび４１ｄはそれぞれ、前に説明したシューアッパー３１を備える。シューアッパー３１には、一度に１つの異なるベースプレート１１が挿入される。これにより、シューズ４１ａは、トレッド要素として端から端までプラグ１３ｂを備えるベースプレートを備える。シューズ４１ｂは、スタッド１３ａおよび１３ｄを端から端まで備える、図７に示されたベースプレート１３ｄを備える。シューズ４１ｃは、長いスタッド１３ａ、プラグ１３ｂおよび短いスタッド１３ｄを備える、図７に示されたベースプレート１１ｃを備える。最後に、シューズ４１ｄのアッパー３１には、スタッド１３ａおよびプラグ１３ｂを備える、図７に示されたベースプレート１１ｂが挿入されている。既に述べたとおり、本発明によれば、このようにすると、それぞれの地面にそのトレッドが適合したフットボールブーツを得ることができる。
【００７３】
図９は、本発明に基づくベースプレートの例示的な他の実施形態１１ｅ、１１ｆ、１１ｇおよび１１ｈを示す。これに関して、ベースプレート１１ｅ、１１ｆ、１１ｇおよび１１ｈは開口８１を備える。これらの開口８１は、それぞれのベースプレート１１ｅ、１１ｆ、１１ｇおよび１１ｈがその中に挿入されたシューアッパー３１の底面３２の少なくとも１つの開口と少なくとも部分的に重なることができる。このようにすると、空気の循環を改良することができる。
【００７４】
開口８１はさらに、それぞれのベースプレート１１ｅ、１１ｆ、１１ｇおよび１１ｈの剛性の調整を提供することができる。例えば、ベースプレート１１ｈは、足前部領域に多くの開口８１を有する。これは、ベースプレート１１ｈのつま先領域の可撓性を増大させ、足のより容易な巻上げを可能にする。図９に示されたシューアッパー１１ｆは開口を持たないが、いくつかのピンプル（pimple）を有し、そのうちの２つのピンプルが、参照符号８２で例示的に示されている。
【００７５】
ベースプレート１１ｅ、１１ｆ、１１ｇおよび１１ｈは、開口の代わりに、材料の厚さが変動する領域、特に空洞を備えることもできる。これにより、第２の領域よりも薄い第１の領域を提供することができる。このようなより薄い領域は、それらの領域の可撓性または剛性の低減を提供することができる。
【００７６】
図１０はスタッドキーを示す。スタッドキー１０１は、図１１に示されているように、アンダーカット１４の下にシューアッパーの底面３２をロックするのを助ける。スタッドキー１０１は、その内部表面にラグ１０２を備える。ラグ１０２は、スタッド１３ａ上の対応する溝１１１と相互作用する。図１４Ａから１４Ｄに関して後により詳細に説明するが、スタッドの縦軸に沿ってスタッドキー１０１を下方へ移動させる。その際、ラグ１０２は溝１１１によって案内される。ラグ１０２は、シューアッパーの底面３２を押し下げて、アンダーカット１４の下に底面３２が固定されるようにする。底面３２を押し下げている間に、スタッドキー３２を回転させて、底面３２の、それぞれのスタッドの周囲のエリア全体を押し下げることができる。
【００７７】
図１２は、翼形の取っ手１２１を有するスタッドキー１０１の例示的な他の実施形態を示し、取っ手１２１は、スタッドキー１０１を例えばキーリング（key ring）に取り付けるための穴１２２を有する。
【００７８】
あるいは、スタッドキー１０１は、図１３に示されているように、その開端にラグ１０２を有するクランプ（clamp）形の形状を有することもできる。
【００７９】
図１４Ａから１４Ｄは、スタッドキー１０１の使用法をより詳細に示す。図解のため、スタッドキー１０１は、断面図として示されていることに留意すべきである。図１４Ａに示された第１のステップでは、スタッドキー１０１をスタッド１３ａの上に配置し、スタッドキー１０１を、スタッド１３ａの縦軸に沿って、図１４Ａの矢印によって示されているように移動させる。スタッドキー１０１はおそらくラグ１０２によって案内される。ラグ１０２は、スタッド１３ａの対応する溝１１１と、図１４Ｃに詳細に示されているように相互作用する。図１４Ｂでは、スタッドキー１０１がスタッド１３ａに沿って移動し、スタッドキー１０１の底面がシューアッパーの底面３２に触れている。図１４Ｂの円で囲われたエリア１４１の拡大図である図１４Ｃにより詳細に示されているように、ラグ１０２はまだスタッド１３ａの溝１１１とかみ合っている。スタッドキー１０１をさらに移動させた場合、スタッドキー１０１はシューアッパーの底面３２を押し下げ、最終的に底面３２は、図１１に示されているように、スタッド１３ａのアンダーカット１４の下に締着される。スタッドキー１０１が十分に強く押し下げられた場合、ラグ１０２は最終的に、それぞれの溝１１１の底面のところから溝１１１の外に出る。ラグ１０２は次いでアンダーカット１４内へ突出する。スタッドキーを、図１４Ｄの矢印によって示されているように回転させることができる。これにより、シューアッパーの底面３２は押し下げられ、シューアッパーの底面３２は、それぞれのスタッド１３ａの周囲のエリア全体にわたって、アンダーカットの下に締着されうる。アンダーカットの下にシューアッパーの底面３２が締着された後、それぞれのラグ１０２がそれぞれの溝１１１と整列するような位置まで、スタッドキー１０１を回転させることができる。次いで、スタッドキー１０１をスタッド１３ａから取り外すことができ、その際、溝１１１は、それぞれのラグ１０２を案内する。
【００８０】
スタッド１３ａに関して上で述べたことは、プラグ１３ｂに対しても有効である。すなわち、スタッドキー１０１を使用して、プラグ１３ｂのアンダーカットの下にシューアッパーの底面３２を締着することもできる。あるいは、プラグ１３ｂにぴったり合うように特別に適合された形状を有する別個のプラグキーを使用することもできる。
【００８１】
以下に、本発明の理解を助ける更なる例を記載する。
［１］
シューズ、特にスポーツシューズ用のベースプレート（１１）であって、シューアッパーに交換可能に挿入されるのに適しており、
ａ．前記シューアッパーに安定性を提供するのに適した、剛性および硬さが大きいプレート形の本体（１２）と、
ｂ．前記ベースプレート（１１）が前記シューアッパーに挿入されたときに前記シューアッパーの底面のそれぞれの開口を通って突出するのに適した複数のトレッド要素（１３、１３ａ、１３ｂ、１３ｃ、１３ｄ）と
を備え、
ｃ．前記トレッド要素（１３、１３ａ、１３ｂ、１３ｃ、１３ｄ）が、前記本体（１２）と一体として形成された、
ベースプレート（１１）。
［２］
前記シューアッパーのかかと領域（４２）から前記シューアッパーのつま先領域（４３）までの全体にわたって延びる、［１］に記載のベースプレート（１１）。
［３］
前記複数のトレッド要素（１３、１３ａ、１３ｂ、１３ｃ、１３ｄ）のうちの少なくとも１つのトレッド要素が、前記シューアッパーの前記底面の開口の縁の一部分を受け入れて、そのトレッド要素（１３、１３ａ、１３ｂ、１３ｃ、１３ｄ）を前記シューアッパーの前記底面に対して固定するアンダーカット（１４）を備える、［１］または［２］に記載のベースプレート（１１）。
［４］
前記アンダーカット（１４）が、前記少なくとも１つのトレッド要素（１３、１３ａ、１３ｂ、１３ｃ、１３ｄ）の周囲溝である、［３］に記載のベースプレート（１１）。
［５］
３Ｄ印刷プロセスで製造された、［１］から［４］のいずれか一項に記載のベースプレート（１１）。
［６］．
前記トレッド要素（１３、１３ａ、１３ｂ、１３ｃ、１３ｄ）の配置、それぞれの高さおよびそれぞれの周囲が、前記シューズが使用される地面に適合した、［１］から［５］のいずれか一項に記載のベースプレート（１１）。
［７］
前記複数のトレッド要素（１３、１３ａ、１３ｂ、１３ｃ、１３ｄ）の第１のサブセットがスタッド（１３ａ、１３ｃ、１３ｄ）であり、前記複数のトレッド要素（１３、１３ａ、１３ｂ、１３ｃ、１３ｄ）の第２のサブセットがプラグ（１３ｂ）である、［１］から［６］のいずれか一項に記載のベースプレート（１１）。
［８］
前記プラグ（１３ｂ）が、前記スタッド（１３ａ、１３ｃ、１３ｄ）との比較において、前記スタッド（１３ａ、１３ｃ、１３ｄ）は平坦な地面と接触することができるが、前記プラグは接触できないような高さを提供する、［７］に記載のベースプレート（１１）。
［９］
前記プラグ（１３ｂ）が、前記プラグ（１３ｂ）がそこを通って突出する、前記シューアッパーの前記底面の開口を閉じるのに適している、［７］または［８］に記載のベースプレート（１１）。
［１０］
前記スタッド（１３ａ、１３ｃ、１３ｄ）が、前記スタッド（１３ａ、１３ｃ、１３ｄ）がそこを通って突出する、前記シューアッパーの前記底面の開口を閉じるのに適している、［７］から［９］のいずれか一項に記載のベースプレート（１１）。
［１１］
それぞれのトレッド要素（１３、１３ａ、１３ｂ、１３ｃ、１３ｄ）が、前記シューアッパーの前記底面の開口に、前記トレッド要素（１３、１３ａ、１３ｂ、１３ｃ、１３ｄ）と前記開口との間に１対１の対応があるように対応する、［１］から［１０］のいずれか一項に記載のベースプレート（１１）。
［１２］
少なくとも１つのスタッド（１３ａ、１３ｃ、１３ｄ）が、スタッドキー（１０１）の対応するラグ（１０２）と相互作用するのに適した、垂直方向に延びる少なくとも１つの溝（１１１）を備える、［７］から［１１］のいずれか一項に記載のベースプレート（１１）。
［１３］
前記ベースプレート（１１）を前記シューアッパーに固定する装着手段をさらに備える、［１］から［１２］のいずれか一項に記載のベースプレート（１１）。
［１４］
前記装着手段が、少なくとも１つのねじまたはフックアンドループテープである、［１３］に記載のベースプレート（１１）。
［１５］
ポリアミド、ポリエーテルブロックアミドＰＥＢＡまたは熱可塑性ポリウレタンＴＰＵ製である、［１］から［１４］のいずれか一項に記載のベースプレート（１１）。
［１６］
少なくとも１つの開口（８１）および／または空洞を備える、［１］から［１５］のいずれか一項に記載のベースプレート（１１）。
［１７］
シューズ、特にスポーツシューズ用のシューアッパー（３１）であって、［１］から［１６］のいずれか一項に記載のベースプレート（１１）を受け入れるのに適しており、
領域（３３）を有する底面（３２）
を備え、
前記領域（３３）がそれぞれ、少なくとも１つの開口（３４）を備え、
前記領域がそれぞれ、前記底面（３２）の他の領域（３５）よりも弾性が大きい、
シューアッパー（３１）。
［１８］
前記シューアッパー（３１）の前記底面（３２）の前記開口（３４）がそれぞれ、前記交換可能なベースプレート（１１）がシューアッパー（３１）に挿入されたときにそれぞれの前記開口（３４）を通って突出するそれぞれの前記トレッド要素（１３、１３ａ、１３ｂ、１３ｃ、１３ｄ）よりも小さな直径を備える、［１７］に記載のシューアッパー（３１）。
［１９］
それぞれの領域（３３）が１つの開口（３４）を備え、前記トレッド要素（１３、１３ａ、１３ｂ、１３ｃ、１３ｄ）と前記領域（３３）との間に１対１の対応がある、［１７］または［１８］に記載のシューアッパー（３１）。
［２０］
ａ．［１４］または［１５］に記載のシューアッパー（３１）と、
ｂ．［１］から［１６］のいずれか一項に記載のベースプレート（１１）と、
を備えるシューズ（４１、４１ａ、４１ｂ、４１ｃ、４１ｄ）、特にスポーツシューズ。
［２１］
シューズ、特にスポーツシューズ用のベースプレート（１１ａ、．．．、１１ｄ；１１ｅ、．．．、１１ｈ）のセット（６１）であって、
ａ．それぞれのベースプレート（１１ａ、．．．、１１ｄ；１１ｅ、．．．、１１ｈ）が、［１］から［１６］のいずれか一項に従って形成されており、
ｂ．ベースプレート（１１ａ、．．．、１１ｄ；１１ｅ、．．．、１１ｈ）の前記セット（６１）の中のそれぞれのベースプレート（１１ａ、．．．、１１ｄ；１１ｅ、．．．、１１ｈ）が、少なくとも前記トレッド要素（１３、１３ａ、１３ｂ、１３ｃ、１３ｄ）の配置および設計に関して、ベースプレート（１１ａ、．．．、１１ｄ；１１ｅ、．．．、１１ｈ）の前記セット（６１）の中の他のどのベースプレート（１１ａ、．．．、１１ｄ；１１ｅ、．．．、１１ｈ）とも異なっている、
ベースプレート（１１ａ、．．．、１１ｄ；１１ｅ、．．．、１１ｈ）のセット（６１）。
［２２］
［１］から［１６］のいずれか一項に記載のベースプレート（１１）の製造方法であって、
ａ．前記剛性および硬さが大きいプレート形の本体（１２）を形成し、前記剛性および硬さが大きいプレート形の本体（１２）が、前記ベースプレート（１１）が前記シューアッパー（３１）に挿入されたとき、前記シューアッパーに安定性を提供するのに適したものになるステップと、
ｂ．前記複数のトレッド要素（１３、１３ａ、１３ｂ、１３ｃ、１３ｄ）を、前記本体（１２）とともに一体として形成し、前記トレッド要素（１３、１３ａ、１３ｂ、１３ｃ、１３ｄ）が、前記完成したベースプレート（１１）が前記シューアッパー（３１）に挿入されたとき、前記シューアッパー（３１）の前記底面（３２）の前記それぞれの開口（３４）を通って突出するのに適したものになるステップと、
を含む方法。
［２３］
前記ベースプレート（１１）が３Ｄ印刷プロセスで製造される、［２２］に記載の方法。
［２４］
前記ベースプレートが射出成形プロセスで製造される、［２２］に記載の方法。
［２５］
前記シューアッパーの前記底面の開口の縁の一部分を受け入れるアンダーカット（１４）を作り出すために、前記ベースプレート（１１）と前記複数のトレッド要素（１３、１３ａ、１３ｂ、１３ｃ、１３ｄ）のうちの少なくとも１つのトレッド要素との間に挿入された少なくとも１つのスペーシング要素（２１）を、前記プロセス中に取り外すことが可能である、［２４］に記載の方法。
［２６］
最初に、前記複数のトレッド要素（１３、１３ａ、１３ｂ、１３ｃ、１３ｄ）が製作され、その後に、前記少なくとも１つのスペーシング要素（２１）を使用して、前記複数のトレッド要素（１３、１３ａ、１３ｂ、１３ｃ、１３ｄ）に前記ベースプレート（１１）が射出成形される、［２５］に記載の方法。
【符号の説明】
【００８２】
１１  ベースプレート
１１ａ  ベースプレート
１１ｂ  ベースプレート
１１ｃ  ベースプレート
１１ｄ  ベースプレート
１１ｅ  ベースプレート
１１ｆ  ベースプレート
１１ｇ  ベースプレート
１１ｈ  ベースプレート
１２  本体
１３  トレッド要素
１３ａ  スタッド
１３ｂ  プラグ
１３ｃ  平坦なプレート形のトレッド要素
１３ｄ  短いスタッド
１４  アンダーカット
２１  環状円板
２２  突起
３１  シューアッパー
３２  底面
３３  領域
３４  開口
３５  他の領域
４１  シューズ
４１ａ  シューズ
４１ｂ  シューズ
４１ｃ  シューズ
４１ｄ  シューズ
４２  かかと領域
４３  つま先領域
５１  紐
６１  ベースプレートのセット
８１  開口
８２  ピンプル
１０１  スタッドキー
１０２  ラグ
１１１  溝
１２１  取っ手
１２２  穴
１４１  円で囲われたエリア
【図１】
0006655979.tif 000002
【図２】
0006655979.tif 000003
【図３】
0006655979.tif 000004
【図４】
0006655979.tif 000005
【図５】
0006655979.tif 000006
【図６Ａ】
0006655979.tif 000007
【図６Ｂ】
0006655979.tif 000008
【図７】
0006655979.tif 000009
【図８】
0006655979.tif 000010
【図９】
0006655979.tif 000011
【図１０】
0006655979.tif 000012
【図１１】
0006655979.tif 000013
【図１２】
0006655979.tif 000014
【図１３】
0006655979.tif 000015
【図１４Ａ】
0006655979.tif 000016
【図１４Ｂ】
0006655979.tif 000017
【図１４Ｃ】
0006655979.tif 000018
【図１４Ｄ】
0006655979.tif 000019